(57)【特許請求の範囲】
【請求項１】
中心電極を絶縁層、無機発光層及び光通過可能な表面電極の順で囲んで形成され、所定の長さに渡って所定の機械的強度を有する無機ＥＬワイヤーと、
前記無機ＥＬワイヤーの一端側に設けられ、前記無機ＥＬワイヤーに発光エネルギーを供給する発光パワー供給手段及び前記無機ＥＬワイヤーを介して通信を可能にする送受信手段を備えた基地局装置と、
前記無機ＥＬワイヤーの他端側に設けられ、前記無機ＥＬワイヤーを介して通信を可能にする送受信手段を備えた移動局装置とを備えた無機ＥＬワイヤー光音伝送システムであって、
前記発光パワー供給手段は、前記無機ＥＬワイヤーの前記中心電極と前記表面電極との間に所定の周波数の発光用交流電圧を供給できるインバータ装置から構成され、
前記基地局装置の送受信手段は、前記無機ＥＬワイヤーに電磁的に結合する結合ユニットと、送出すべき音声信号を乗せた第１搬送波信号を前記結合ユニットへ供給する第１送信ユニットと、前記結合ユニットから得られる第２搬送波信号を受信して音声信号を形成する第１受信ユニットとを備え、
前記移動局装置の送受信手段は、前記無機ＥＬワイヤーに電磁的に結合する結合ユニットと、前記結合ユニットから得られる第１搬送波信号を受信して音声信号を形成する第２受信ユニットと、送信すべき音声信号を乗せた第２搬送波信号を前記結合ユニットに与える第２送信ユニットとを備え、
前記各送信ユニットにはマイクロフォンが接続可能にされていて前記マイクロフォンからの音声信号を前記送信ユニットに供給可能にされており、前記各受信ユニットにはスピーカまたはイヤホーンが接続可能とされていて前記受信ユニットで形成された音声信号を前記スピーカまたは前記イヤホーンに供給可能とされていることを特徴とする無機ＥＬワイヤー光音伝送システム。
【請求項２】
前記受信ユニットはデジタルシグナル処理受信部を備え、前記デジタルシグナル処理受信部は前記結合ユニットより得られた搬送信号に対してデジタル処理を施しその処理結果を基に音声信号を形成して出力することを特徴とする請求項１記載の無機ＥＬワイヤー光音伝送システム。
【発明の詳細な説明】
【技術分野】
【０００１】
本発明は、無機ＥＬワイヤーの発光現象を利用しつつ無機ＥＬワイヤーを通信に利用できるようにした無機ＥＬワイヤー光音伝送システムに関し、特に海難救助や洞窟探検等において基地側と移動体側とを無機ＥＬワイヤーでつなぎ、移動体の移動経路を発光する無機ＥＬワイヤーで目視可能とするとともに基地側と移動体側との間で双方向通信を可能にした無機ＥＬワイヤー光音伝送システムに関するものである。
【背景技術】
【０００２】
従来、海難救助を行う場合には、船上等の基地側と移動体（ダイバー）との間を単なるケーブルやワイヤーでつなぎ、例えば沈没船等の内部に移動体（ダイバー）が進入したときに、これらケーブルやワイヤーによって移動体（ダイバー）の移動経路をたどれるようにすることにより移動体（ダイバー）が安全に戻れるようにして移動体（ダイバー）の安全を確保している。
【０００３】
同様に、学術的な洞窟探検や探査の場合においても、上述と同様に単なるケーブルやワイヤーで基地側と移動体（探査探検スタッフ）との間をつなぎ、これらケーブルやワイヤーによって移動体（探査探検スタッフ）の移動経路をたどれるようにし移動体（探査探検スタッフ）の安全を確保している。
【０００４】
一方、上述した移動経路を確保の他に、船上等の基地側と移動体（ダイバー）との間を通信ケーブルで結び、基地側と移動体（ダイバー）側との間で通話を行えるようにして、両者間で情報の交換を可能にすることにより安全の確保に資する装置も提供されている（特許文献１及び特許文献２参照）。
【先行技術文献】
【特許文献】
【０００５】
【特許文献１】実開平２−１３８９４４号公報
【特許文献２】実開平３−０５６２５０号公報
【発明の概要】
【発明が解決しようとする課題】
【０００６】
しかしながら、上記基地側と移動体との間を単なるケーブルやワイヤーでつないだ従来装置の場合、暗い場所等ではケーブルやワイヤーを目視できないことがあって自分の位置や居場所がどのような経路で進んできたか判別できず、無駄な行動や二次被害の危険にさらされることがあった。
【０００７】
また、基地側と移動体との間を通信ケーブルで結び、基地側と移動体側とで通話を行えるようにした従来の装置の場合も、暗い場所等では通信ケーブルを目視できないことがあって自分の位置や居場所がどのような経路で進んできたか判別できず、上記従来技術と同様の不都合があった。
【０００８】
本発明は、上記従来技術の欠点を解消し、経路の確保を確実にし、かつ基地側と移動体側との間で音声による情報交換を確実に行えるようにした無機ＥＬワイヤー光音伝送システムを提供することを目的とするものである。
【課題を解決するための手段】
【０００９】
上記目的を達成するため、請求項１記載の発明は、中心電極を絶縁層、無機発光層及び光通過可能な表面電極の順で囲んで形成され、所定の長さに渡って所定の機械的強度を有する無機ＥＬワイヤーと、
前記無機ＥＬワイヤーの一端側に設けられ、前記無機ＥＬワイヤーに発光エネルギーを供給する発光パワー供給手段及び前記無機ＥＬワイヤーを介して通信を可能にする送受信手段を備えた基地局装置と、
前記無機ＥＬワイヤーの他端側に設けられ、前記無機ＥＬワイヤーを介して通信を可能にする送受信手段を備えた移動局装置とを備えた無機ＥＬワイヤー光音伝送システムであって、
前記発光パワー供給手段は、前記無機ＥＬワイヤーの前記中心電極と前記表面電極との間に所定の周波数の発光用交流電圧を供給できるインバータ装置から構成され、  前記基地局装置の送受信手段は、 前記無機ＥＬワイヤーに電磁的に結合する結合ユニットと、送出すべき音声電気信号を乗せた第１搬送波信号を前記結合ユニットへ供給する第１送信ユニットと、前記結合ユニットから得られる第２搬送波信号を受信して音声電気信号を形成する第１受信ユニットとを備え、
前記移動局装置の送受信手段は、前記無機ＥＬワイヤーに電磁的に結合する結合ユニットと、前記結合ユニットから得られる第１搬送波信号を受信して音声電気信号を形成する第２受信ユニットと、送信すべき音声電気信号を乗せた第２搬送波信号を前記結合ユニットに与える第２送信ユニットとを備え、
前記送信ユニットにはマイクロフォンが接続可能にされていて前記マイクロフォンからの音声電気信号を前記送信ユニットに供給可能にされており、前記受信ユニットにはスピーカまたはイヤホーンが接続可能とされていて前記受信ユニットで形成された音声電気信号を前記スピーカまたは前記イヤホーンに供給可能とされていることを特徴とするものである。
【００１０】
請求項２記載の発明は、請求項１記載の無機ＥＬワイヤー光音伝送システムにおいて、前記受信ユニットはデジタルシグナル処理受信部を備え、前記デジタルシグナル処理受信部は前記結合ユニットより得られた搬送波信号に対してデジタル処理を施しその処理結果を基に音声電気信号を形成して出力することを特徴とするものである。
【００１１】
前記基地局装置は、船上の基地、洞窟探検の基地あるいはその他の利用形態の基地となり得る場所側に配置され、前記移動局装置は、水中、洞窟探検あるいはその他の利用形態における移動体側に配置され、前記基地局装置と前記移動局装置とが無機ＥＬワイヤーで連結されてなるものである。
【００１２】
尚、上記解決手段において、「無機ＥＬワイヤー」の形態としては、図２に示す同軸ケーブル状のものの他、テープ状、シート状等適宜の形態のものを採用することができる。
【発明の効果】
【００１３】
本発明によれば、基地局側の基地局装置と移動体側の移動局装置が無機ＥＬワイヤーでつながっていて、基地局装置の発光パワー供給手段から無機ＥＬワイヤーに所定の交流電圧を印加することにより、無機ＥＬワイヤーを光らせることができ、かつ、無機ＥＬワイヤーを介して基地局装置の送受信手段と移動局装置の送受信手段とが通話可能にされていることから、次のような優れた作用効果を奏することになる。
【００１４】
（１）水中や洞窟探検探査等で複雑な経路中に入り込んでも、無機ＥＬワイヤーが光っていることにより、移動経路が一目でわかるので安全を図ることができるほか、暗い場所を所定光度で照明するため作業や移動が容易になる。
（２）また、先に進んだ移動体の経路が、光っている無機ＥＬワイヤーにより直ちに分かることから、移動等が便利になって作業効率向上を期待できる。
（３）基地の監視者と移動体との間で通話ができるため、水中や洞窟探検等で必要な情報の交換ができ、安全の確保に資するほか作業効率の向上も期待できる。
（４）無機ＥＬワイヤーを伝送路として搬送波を乗せることにより通話を可能にしているので、通話信号が減衰することなく、良好な通話品質を確保することができる。
（５）双方向の通話を可能としているので、移動体側では送話に必要な操作をする必要がなく、通話による作業効率の低下を防ぐことができる。
【図面の簡単な説明】
【００１５】
【図１】本発明に係る無機ＥＬワイヤー光音伝送システムの実施形態を示すブロック図である。
【図２】本発明に係る無機ＥＬワイヤー光音伝送システムの実施形態における無機ＥＬワイヤーの構造例を拡大して示す斜視図である。
【図３】本発明に係る無機ＥＬワイヤー光音伝送システムの実施形態における基地局装置を示すブロック図である。
【図４】本発明に係る無機ＥＬワイヤー光音伝送システムの実施形態における移動局装置を示すブロック図である。
【図５】本発明に係る無機ＥＬワイヤー光音伝送システムの実施形態が適用された例を示す模式図である。
【発明を実施するための形態】
【００１６】
以下、本発明の実施形態を図面を参照して説明する。
図１は、本発明に係る無機ＥＬワイヤー光音伝送システムの実施形態を示すブロック図である。この図１において、本発明に係る無機ＥＬワイヤー光音伝送システム１は、主に、無機ＥＬワイヤー３と、基地局装置５と、移動局装置７とから構成されている。また、前記基地局装置５及び前記移動局装置７は、図１では示さないが、さらにマイクロフォン及びイヤホーンからなるヘッドセットを備えている。さらに、前記基地局装置５は例えば商用電源等から電力の供給を受けられるように構成されており、前記移動局装置７はバッテリによって電力の供給が受けられるように構成されている。
【００１７】
前記無機ＥＬワイヤー３は、所定の周波数の発光用交流電圧が印加されると発光するようになっていて、所定の長さＬに亘って所定の機械的強度を備えたものである。
【００１８】
前記基地局装置５は、前記無機ＥＬワイヤー３の一端側に設けられ、前記無機ＥＬワイヤー３に発光エネルギーを供給する発光パワー供給手段５０と、前記無機ＥＬワイヤー３を介して通信を可能にする送受信手段５１とを備えた構成となっている。
【００１９】
前記移動局装置７は、前記無機ＥＬワイヤー３の他端側に設けられ、前記無機ＥＬワイヤー３を介して通信を可能にする送受信手段７１を備えた構成となっている。
【００２０】
図２は、本発明に係る無機ＥＬワイヤー光音伝送システムの実施形態における無機ＥＬワイヤーの構造例を拡大して示す斜視図である。この図２において、前記無機ＥＬワイヤー３は、中心電極３１を絶縁層３２、無機発光層３３及び光通過可能な表面電極３４の順で囲んで形成されていて、所定の長さに亘って所定の機械的強度を備えている。
【００２１】
図３は、本発明に係る無機ＥＬワイヤー光音伝送システムの実施形態における基地局装置を示すブロック図である。この図３において、前記基地局装置５は、発光パワー供給手段５０と、送受信手段５１と、ヘッドセット５３とを備えている。また、発光パワー供給手段５０及び送受信手段５１は、図示しない交流電源より電力の供給を受けられるように構成されている。前記ヘッドセット５３は、音声を音声電気信号に変換するマイクロフォンと、音声電気信号を音声に変換するイヤホーンとから構成されている。
【００２２】
前記発光パワー供給手段５０は、前記無機ＥＬワイヤー３の中心電極３１と表面電極３４との間に所定の周波数の発光用交流電圧が印加できるように構成されている。前記発光パワー供給手段５０は、具体的には、前記無機ＥＬワイヤー３の前記中心電極３１と前記表面電極３４との間に所定の周波数の発光用交流電圧を供給できるインバータ装置により構成したものであって、前記無機ＥＬワイヤー３に印加する交流電圧の周波数を適宜選択して供給することができる。
【００２３】
前記送受信手段５１は、 前記無機ＥＬワイヤー３に電磁的に結合する結合ユニット５５と、 送出すべき音声電気信号を乗せた第１搬送波信号ｆ１を前記結合ユニット５５へ供給する第１送信ユニット５７と、前記結合ユニット５５から得られる第２搬送波信号ｆ２を受信して音声電気信号を形成する第１受信ユニット５９とを備えている。
【００２４】
前記ヘッドセット５３のマイクロフォンは前記第１送信ユニット５７に接続可能にされていて、送出すべき音声をマイクロフォンで音声電気信号に変換し、その音声電気信号を第１送信ユニット５７に供給できる。前記ヘッドセット５３のイヤホーンは第１受信ユニット５９に接続可能にされていて、第１受信ユニット５９から供給される音声電気信号を音声に変換できる。なお、使用の形態によっては、イヤホーンまたはスピーカ、あるいはイヤホーン及びスピーカを併用する使用方法をとってもよい。
【００２５】
さらに説明すると、前記第１送信ユニット５７は、ヘッドセット５３のマイクロフォンから与えられた音声電気信号をＦＭ変調（周波数変調）して第１搬送波信号ｆ１として送出する第１ＦＭ送信部５７１と、この第１ＦＭ送信部５７１の動作を制御するＣＰＵ制御部５７２と、このＣＰＵ制御部５７２の処理結果を表示する液晶表示部５７３とを備えている。第１ＦＭ送信部５７１は、入力された音声電気信号でＦＭ変調した第１搬送波信号ｆ１を結合ユニット５５に供給できる構成とされている。
【００２６】
前記第１受信ユニット５９は、デジタルシグナル処理（ＤＳＰ）受信部５９１と、このＤＳＰ受信部５９１の動作を制御するＣＰＵ制御部５９２と、このＣＰＵ制御部５９２の処理結果を表示する液晶表示部５９３とを備えている。
【００２７】
前記第１受信ユニット５９の前記ＤＳＰ受信部５９１は、前記結合ユニット７５より得られた搬送信号ｆ２に対してデジタル処理を施しその処理結果を基に音声電気信号を形成して出力できる構成としてある。前記ＤＳＰ受信部５９１からの音声電気信号はヘッドセット５３のイヤホーンに与えられるように構成されている。
【００２８】
図４は、本発明に係る無機ＥＬワイヤー光音伝送システムの実施形態における移動局装置を示すブロック図である。この図４において、前記移動局装置７は、送受信手段７１と、ヘッドセット７３とを備えている。また、前記送受信手段７１は、バッテリ７２から電力の供給を受けられるようになっている。前記ヘッドセット７３は、音声を音声電気信号に変換するマイクロフォンと、音声電気信号を音声に変換するイヤホーンとから構成されている。
【００２９】
前記送受信手段７１は、前記無機ＥＬワイヤー３に電磁的に結合する結合ユニット７５と、送信すべき音声電気信号を乗せた第２搬送波信号ｆ２を前記結合ユニット７５に与える第２送信ユニット７７と、前記結合ユニット７５から得られる第１搬送波信号ｆ１を受信して音声電気信号を形成する第２受信ユニット７９とを備えている。
【００３０】
前記ヘッドセット７３のマイクロフォンは前記第２送信ユニット７７に接続可能にされていて、送出すべき音声を音声電気信号に変換して第２送信ユニット７７に供給できる。前記ヘッドセット７３のイヤホーンは第２受信ユニット７９に接続可能にされていて、第２受信ユニット７９から供給される音声電気信号を音声に変換できる。
【００３１】
さらに説明すると、前記第２送信ユニット７７は、ヘッドセット７３のマイクロフォンから与えられた音声電気信号でＦＭ変調（周波数変調）した第２搬送波信号ｆ２を結合ユニット７５に送出する第２ＦＭ送信部７７１と、この第２ＦＭ送信部７７１の動作を制御するＣＰＵ制御部７７２と、このＣＰＵ制御部７７２の処理結果を表示する液晶表示部７７３とを備えている。第２ＦＭ送信部７７１には、ヘッドセット７３のマイクロフォンが接続されており、前記ヘッドセット７３のマイクロフォンから音声電気信号が第２ＦＭ送信部７７１に入力されるように接続されている。
【００３２】
前記第２受信ユニット７９は、デジタルシグナル処理（ＤＳＰ）受信部７９１と、このＤＳＰ受信部７９１の動作を制御するＣＰＵ制御部７９２と、このＣＰＵ制御部７９２の処理結果を表示する液晶表示部７９３とを備えている。
【００３３】
前記第２受信ユニット７９における前記ＤＳＰ受信部７９１は、前記結合ユニット７５より得られた搬送波信号ｆ１に対してデジタル処理を施しその処理結果を基に音声電気信号を形成して出力できる構成としてある。前記ＤＳＰ受信部７９１からの音声電気信号はヘッドセット７３のイヤホーンに与えられるように構成されている。
【００３４】
図５は、本発明に係る無機ＥＬワイヤー光音伝送システムの実施形態が適用された実例を示す模式図である。この図５において、符号１３は空気供給ホース、符号１５は船舶、符号１７は空気供給装置、符号１９は海をそれぞれ示している。また、空気供給ホース１３は、無機ＥＬワイヤー３と一体的に形成されているものとする。
【００３５】
前記基地局装置５は、船舶１５の上に設置した基地となり得る場所側に配置されている。また、船舶１５には、空気供給装置１７が配置されている。空気供給装置１７から送出される空気は空気供給ホース１３を介して海中１９内の潜水服を着用したダイバー（移動体）２１に供給されるようになっている。
【００３６】
前記移動局装置７は、ダイバー（移動体）２１側に配置されている。潜水服内は空気供給ホース１３から空気が供給されている。また、ダイバー（移動体）２１はヘッドセット７３を装着し、このヘッドセット７３は移動局装置７の送受信手段７１に接続されている。
【００３７】
ダイバー（移動体）２１は、空気供給ホース１３（無機ＥＬワイヤー３）を介して船舶１５上の基地とつながっている。
【００３８】
このような無機ＥＬワイヤー光音伝送システムの動作を簡単に説明する。
海中１９にいるダイバー（移動体）２１には、船舶１５上の空気供給装置１７から空気供給ホース１３を介して空気が供給されている。
【００３９】
また、船舶１５上の基地にいる監視者は、前記基地局装置５、前記無機ＥＬワイヤー３及び前記移動局装置７を介して海中１９内のダイバー（移動体）２１と通話できる。
【００４０】
基地局装置５の発光パワー供給手段５０は、必要に応じて、前記無機ＥＬワイヤー３の中心電極３１と表面電極３４との間に所定の周波数の発光用交流電圧を印加する。これにより、無機ＥＬワイヤー３は所定の波長でもって発光することになる。ここで、発光パワー供給手段５０から供給する交流の周波数は概ね数十［Ｈｚ］〜２０００［Ｈｚ］までの周波数のうち必要に応じた周波数の使用を想定している。
【００４１】
ここで、船舶１５の基地上の監視者がヘッドセット５３のマイクロフォンに向って必要な音声情報を話すと、前記マイクロフォンで変換された音声電気信号は第１ＦＭ送信部５７１に入力される。入力された音声電気信号は、第１ＦＭ送信部５７１によってＦＭ変調された第１搬送波信号ｆ１が形成される。この第１搬送波信号ｆ１は、第１ＦＭ送信部５７１から結合ユニット５５に与えられる。
【００４２】
結合ユニット５５を介して無機ＥＬワイヤー３に乗せられた第１搬送波信号ｆ１は、無機ＥＬワイヤー３を伝搬して海中１９のダイバー（移動体）２１の移動局装置７に送られる。
【００４３】
移動局装置７では、無機ＥＬワイヤー３を介して伝搬してきた第１搬送波信号ｆ１が結合ユニット７５で検出される。結合ユニット７５で検出された第１搬送波信号ｆ１は、第２受信ユニット７９に供給される。第２受信ユニット７９において、ＤＳＰ受信部７９１が第１搬送波信号ｆ１に対して所定のデジタル信号処理を施し、その処理結果を基に音声電気信号を形成する。この音声電気信号は、ダイバー（移動体）２１が装着しているヘッドセット７３のイヤホーンに与えられて、監督者からの音声情報としてダイバー（移動体）２１に伝えられる。
【００４４】
一方、ダイバー（移動体）２１は、必要な返信情報等をヘッドセット７３のマイクロフォンに向ってしゃべる。その音声は前記マイクロフォンで音声電気信号に変換されて、第２送信ユニット７７の第２ＦＭ送信部７７１に入力される。入力された音声電気信号は、第２ＦＭ送信部７７１によってＦＭ変調されて第２搬送波信号ｆ２に形成される。この第２搬送波信号ｆ２は、第２ＦＭ送信部７７１から結合ユニット７５に与えられる。
【００４５】
結合ユニット７５を介して無機ＥＬワイヤー３に乗せられた第２搬送波信号ｆ２は、無機ＥＬワイヤー３を伝搬して船舶１５上の基地の基地局装置５に送られる。
【００４６】
基地局装置５では、無機ＥＬワイヤー３を介して伝搬してきた第２搬送波信号ｆ２が結合ユニット５５で検出される。結合ユニット５５で検出された第２搬送波信号ｆ２は、第１受信ユニット５９に供給される。第１受信ユニット５９では、ＤＳＰ受信部５９１が第２搬送波信号ｆ２に対してデジタル処理を施し、その処理結果を基に音声電気信号を形成する。この音声電気信号は、船舶１５上の基地にいる監視者が装着しているヘッドセット５３のイヤホーンに与えられて、ダイバー（移動体）２１からの返信情報として監視者に伝えられる。なお、監視者とダイバーとの間の通話で予定している周波数は、百［Ｈｚ］〜４０００［Ｈｚ］程度が実用的である。
【００４７】
なお、上記通話では、基地局装置５から移動局装置７に向けて発する第１搬送波信号ｆ１の周波数と、移動局装置７から基地局装置５に向けて発する第２搬送波信号ｆ２の周波数とが異なるため、同時通話をすることができ、また混信等をすることがない。
【００４８】
また、前記送受信手段５１のＤＳＰ受信部５９１は、それが受信する周波数等をデジタル処理して当該周波数に対するインピーダンス等を調整するため、第１ＦＭ送信部５７１から送出される搬送波信号ｆ１をＤＳＰ受信部５９１に供給されることになっても、当該搬送波信号ｆ１によってＤＳＰ受信部５９１の受信状態が悪影響を受けることがない。
【００４９】
同様に前記送受信手段７１のＤＳＰ受信部７９１は、それが受信する周波数等をデジタル処理して当該周波数に対するインピーダンス等を調整するため、第２ＦＭ送信部７７１から送出される搬送波信号ｆ２がＤＳＰ受信部７９１に供給されることになっても、当該搬送波信号ｆ２によってＤＳＰ受信部７９１の受信状態が悪影響を受けることがない。
【００５０】
このように本実施の形態によれば、基地局側の基地局装置５と移動体側の移動局装置７が無機ＥＬワイヤー３でつながっていて、基地局装置５の発光パワー供給手段５０から無機ＥＬワイヤー３に所定の交流電圧を印加することにより、無機ＥＬワイヤー３を光らせることができ、かつ、無機ＥＬワイヤー３を介して基地局装置５の送受信手段５１と移動局装置７の送受信手段７１とが通話可能にされていることから、次のような優れた作用効果を奏することになる。
【００５１】
（１）水中や洞窟探検探査等で複雑な経路中に入り込んでも、無機ＥＬワイヤーが光っていることにより、移動経路が一目でわかるので安全を図ることができるほか、暗い場所を所定光度で照明するため作業や移動が容易になる。
（２）また、先に進んだ移動体の経路が、光っている無機ＥＬワイヤーにより直ちに分かることから、移動等が便利になって作業効率向上を期待できる。
（３）基地の監視者と移動体との間で通話ができるため、水中や洞窟探検等で必要な情報の交換ができ、安全の確保に資するほか作業効率の向上も期待できる。
（４）無機ＥＬワイヤーを伝送路として搬送波信号を乗せることにより通話を可能にしているので、通話信号が減衰することなく、良好な通話品質を確保することができる。
（５）双方向の通話を可能としているので、移動体側では送話に必要な操作をする必要がなく、通話による作業効率の低下を防ぐことができる。
上記実施の形態では、主に、水中で移動する実施例をもって説明したが、これに限定されることなく、例えば学術的な洞窟探検探査やその他目視が困難な環境の中においても利用することができる。
（６）双方向通信を可能にしてあるので、例えば海難救助の現場において、ダイバーに対して捜索範囲や目的物への的確な指示を行うことができる。
（７）双方向通信を可能にしてあるので、洞窟や地下坑道などを探索探査する場合において、外部（基地）側から指揮ナビゲーションができる利点がある。
（８）地下等の暗い場所や、複雑に入り組んだ迷路のような場所においても、あるいは濁った水等においても、無機ＥＬワイヤー３による照明効果により探索物の早期発見や、当事者の居場所を確認できることから、迷うことがなくなり二次災害三次災害等を防ぐことができる。
（９）また、本装置の利用範囲が限定されるため、盗難等もなく管理的にも有利である。
【００５２】
なお、無機ＥＬワイヤー３は、各種色合いを発光するものを利用することができる。
【００５３】
上記実施の形態では、ＦＭ搬送波を利用したもので説明したが、例えばＡＤ変換器、ＤＡ変換器を用いてデジタル変調した搬送波信号を無機ＥＬワイヤー３に乗せるように構成してもよい。
【００５４】
本発明の実施形態に係る無機ＥＬワイヤー光音伝送システム１は次のような分野に利用することができる。
（１）艱難、救援、水難などの災害時の救助業務に利用できる。
（２）防災、災害、被災時の救急や救命の業務に利用できる。
（３）地下坑道あるいは洞窟などの探査や探索を目的とする分野に利用できる。
【符号の説明】
【００５５】
１  無機ＥＬワイヤー光音伝送システム
３  無機ＥＬワイヤー
５  基地局装置
７  移動局装置
１３  空気供給ホース
１５  船舶
１７  空気供給装置
１９  海
３１  中心電極
３２  絶縁層
３３  無機発光層
５１  送受信手段
５３  ヘッドセット
５５  結合ユニット
５７  第１送信ユニット
５９  第１受信ユニット
７１  送受信手段
７５  結合ユニット
７７  第２送信ユニット
７９  第２受信ユニット
【図１】
0006377100.tif 000002
【図２】
0006377100.tif 000003
【図３】
0006377100.tif 000004
【図４】
0006377100.tif 000005
【図５】
0006377100.tif 000006